Podtech/llm-jp-corpus-v4-ja_patent huggingface dataset:
(57)【要約】【課題】  フックボルトを電動ドライバーで締め付け又は緩めるときに用いる、環状形の係止部を有するビットを提供する。【解決手段】  充電式又はコード式電動ドライバーのチャックに脱着自在に取り付けるビットであり、環状形の係止部と、該係止部から延設された連結部より形成された環状形の係止部を有するビットである。また、前記係止部の環状形の一部が欠除している形態とすることができる。【選択図】図１
0003178178.tif 000002
【実用新案登録請求の範囲】
【請求項１】
充電式又はコード式電動ドライバーのチャックに脱着自在に取り付けるビットであり、環状形の係止部と、該係止部から延設された連結部より形成されていることを特徴とする環状形の係止部を有するビット。
【請求項２】
前記係止部の環状形の一部が欠除していることを特徴とする請求項１に記載の環状形の係止部を有するビット。
【考案の詳細な説明】
【技術分野】
【０００１】  本考案は、充電式又はコード式の電動ドライバーのチャックに脱着自在に装着して使用する環状形の係止部を有するビットに関するものである。
【背景技術】
【０００２】  電動ドライバーは、チャックに装着するビットの種類に応じて、ネジ締め、ナット締め、穴あけ、研削および研磨など、様々な作業を効率良く行なうことができる。しかしながら、図３に示すようなターンバックルの両端に螺設されたフック部材を締め付け又は緩めるビットは開発されていない。【０００３】  ターンバックルは、先行技術文献１に示すように建築物等において複数の部材を連結する場合に、それらの部材間に介在させて連結部材を緊張せしめ、又は該連結部材の長さを調節するために用いられている。前記ターンバックルは、長手の枠体形状を呈するナット部材の対向する両端部に、右ネジ又は左ネジを有する所定のフックボルトが、夫々螺入されており、かかるナット部材の回転によって、前記フックボルト間の距離が調節されるようになっている。【０００４】
【先行技術文献】
【特許文献】
【０００５】
【特許文献１】  特開２０００−１２０６２５号公報
【考案の開示】
【考案が解決しようとする課題】
【０００６】  前記ターンバックルを用いて、各種配管や電気器具等の設備部材を、梁や柱等に釣支する場合においては、両端のフックボルトのうち、一方のものが梁等に固定され、他方のものに設備部材が取り付けられる。この場合においては、ターンバックルのナット部材を手等で回転させることにより、梁等から設備部材までの距離が調節されて、該設備部材が略水平に若しくは所定の勾配をもって保持される。【０００７】  ところが、このような構造のターンバックルは、前記距離を調節するために、まず、フックボルトを手等で回転（締め付け又は緩める）させた後、ナット部材を手で回転させて所定の張力で釣支していた。このようにフックボルトを手等で回転することは手間が掛かり、ターンバックルを多数釣支する場合には作業効率が悪かった。本考案は、この課題を解決するために成されたものであり、前記フックボルトを電動ドライバーで締め付け又は緩めるときに用いる、環状形の係止部を有するビットを提供することを目的としている。
【課題を解決するための手段】
【０００８】  本考案の請求項１に記載の環状形の係止部を有するビットは、環状形の係止部と該係止部から延設された連結部より形成されている。このように形成されたビットを電動ドライバーのチャックに装着し、ターンバックルの端部に螺着されているフックボルトのフックに前記ビットの環状形の係止部を係止して、電動ドライバーを所定方向に回転させれば、短時間で前記フックボルトをターンバックルの長形枠体に締め付け又は緩めることができる。【０００９】  本考案の請求項２に記載の環状形の係止部を有するビットは、前記係止部の環状形の一部が欠除していることを特徴としている。このように形成されたビットを電動ドライバーのチャックに装着し、ターンバックルの端部に螺着されているフックボルトのリング部に前記ビットの環状形の係止部を係止し、電動ドライバーを所定方向に回転させれば、短時間で前記フックボルトをターンバックルの長形枠体に締め付け又は緩めることができる。
【考案の効果】
【００１０】  本考案の環状形の係止部を有するビットを使用すれば、ターンバックルのフックボルトの形状が、フック状又はリング状の何れの場合でも、本考案の何れかのビットを電動ドライバーのチャックに装着し、ターンバックルの端部に螺着されているフックボルトのフックに前記ビットの環状形の係止部を係止して、電動ドライバーを所定方向に回転させれば、短時間で前記フックボルトをターンバックルの長形枠体に締め付け又は緩めることができる。
【図面の簡単な説明】
【００１１】
【図１】  本考案の環状形の係止部を有するビットの実施形態を示したもので、（ａ）は上面図であり、（ｂ）は正面図である。
【図２】  本考案の環状形の係止部を有するビットの他の実施形態を示した正面図である。
【図３】  本考案の環状形の係止部を有するビットの使用状態を示す説明図である。
【考案を実施するための形態】
【００１２】  以下、本考案の環状形の係止部を有するビットの実施形態を、図面に基づいて詳細に説明する。図１において、環状形の係止部を有するビット１は、環状形の係止部２と、該係止部２の下面に平坦な取付面が形成された基台部４と、該基台部４の中央部から下方へ延設された連結部３より成り、鍛造にて一体成形されている。連結部３は六角柱の形状であり、電動ドライバー２０のチャック２１に着脱自在に装着される。
【００１３】  図２においては、環状形の係止部２ａの一部が欠除している以外は図１に示す環状形の係止部を有するビット１と同一である。これはターンバックル１０のフックボルト１２のフックが環状形であるものに対応した環状形の係止部を有するビット１ａである。
【００１４】  図３は、図１に示す環状形の係止部を有するビットを用いてターンバックル１０のフックボルト１２を締め付け又は緩める状態を示したものである。前記ターンバックル１０において、フック状のフックボルト１２には環状形の係止部を有するビット１を用い、リング状のフックボルト１２には環状の一部を欠除した係止部を有するビット１ａを用いれば、フックボルト１２と前記ビット１．１ａの係止部２，２ａが脱落することが無いので、作業効率が向上する。
【００１５】  本実施形態では、環状形の係止部の形状を、環状又は一部を欠除した環状としているが、これに限定されるものではなく、例えば、楕円や多角形とすることができる。
【産業上の利用可能性】
【００１６】  本考案は、ターンバックルのフックボルトの締め付け又は緩め作業に用いる環状形の係止部を有するビットであるが、これに限定されるものではなく、フック状又は環状の頭部を有する締結部材、例えば、アイボルトやアイナット等の締結に広く利用することが可能である。
【符号の説明】
【００１７】１，１ａ  環状形の係止部を有するビット
２，２ａ  係止部
３  連結部
４  基台部
１０  ターンバックル
１１  ナット部材
１２  フックボルト
２０  電動ドライバー
２１  チャック
【図１】
0003178178.tif 000003
【図２】
0003178178.tif 000004
【図３】
0003178178.tif 000005
(57)【要約】      （修正有）【課題】和服に関し、所蔵している古い着物をリフォームして、洋服のように一人で簡単に着ることができ、しかも、着くずれしにくい構造としたリフォーム着物を提供する。【解決手段】所蔵している古い着物を略腰丈付近で切断して上衣部１と下衣部とに分離し、該上衣部１に於いて、衿首３が肩山４より後ろに７５ｍｍ〜８０ｍｍ繰越すよう衿６を縫い付けし直し、該上衣部１の下端にお端折り７を形成し、該上衣部１の下前身頃８の下部表面と上前身頃９の下部裏面とに面ファスナー１０を取り付ける。さらに、該下衣部に於いて、胴回り部分に面ファスナー１０を取り付けして、巻きスカート状に形成する。【選択図】図１
0003178189.tif 000002
【実用新案登録請求の範囲】
【請求項１】
所蔵している古い着物を略腰丈付近で切断して上衣部と下衣部とに分離し、該上衣部に於いて、衿首が肩山より後ろに７５ｍｍ〜８０ｍｍ繰越すよう衿を縫い付けし直し、該上衣部の下端にお端折りを形成し、該上衣部の下前身頃の下部表面と上前身頃の下部裏面とに面ファスナーを取り付けし、及び、該下衣部に於いて、胴回り部分に面ファスナーを取り付けして、巻きスカート状に形成した構造を以て構成したことを特徴とするリフォーム着物。
【考案の詳細な説明】
【技術分野】
【０００１】  本考案は、和服に関し、特に、着物に係るものである。
【背景技術】
【０００２】  従来の着物は、着物の構造、着付けの手順、腰紐など多数の紐の使用、帯締めの必要などの理由から、着付け途中で着物の一部を押さえつけながら締め付けを行なったり、着物の後姿の各部位の位置調整を行なう必要があったりするため、初心者又は着なれない人にとって、一人で着付けを行なうのは大変困難であった。【０００３】  さらには、着用時の着くずれの心配が伴うものであった。
【考案の概要】
【考案が解決しようとする課題】
【０００４】  本考案は、上記従来有する問題点に鑑み、所蔵している古い着物をリフォームして、洋服のように一人で簡単に着ることができ、しかも、着くずれしにくい構造としたリフォーム着物を提供しようとするものである。
【課題を解決するための手段】
【０００５】  本考案は、所蔵している古い着物を略腰丈付近で切断して上衣部１と下衣部２とに分離し、該上衣部１に於いて、衿首３が肩山４より後ろに７５ｍｍ〜８０ｍｍ繰越すよう衿６を縫い付けし直し、該上衣部１の下端にお端折り７を形成し、該上衣部１の下前身頃８の下部表面と上前身頃９の下部裏面とに面ファスナー１０を取り付けし、及び、該下衣部２に於いて、胴回り部分１１に面ファスナー１０を取り付けし、巻きスカート状に形成した構造を以て構成したことを特徴とした。
【考案の効果】
【０００６】  本考案によれば、所蔵している古い着物をリフォームして成すことから、長年、しまわれていた着物を活用することができる。【０００７】  また、着物を上衣部と下衣部とに分離したことで、着物の着用が極めて簡単になり、かつ、該上衣部の下前身頃の下部表面と上前身頃の下部裏面と該下衣部の胴回り部分とに面ファスナーを取り付けしたことにより、紐を使うことなく簡単に着物を着ることができ、着付けた後は着くずれが起こりにくいという効果が期待できる。【０００８】  また、該上衣部に於いて、衿首が肩山より後ろに７５ｍｍ〜８０ｍｍ繰越すよう衿を縫い付けし直し、かつ、該上衣部の下端にお端折りを形成したことにより、簡単に、きれいな「衣紋抜き」「お端折り」を得ることができる。【０００９】  さらには、帯を締めることで、一部式着物の着姿と同様な一体感を伴った着姿を得ることができる。【００１０】  本考案を応用すれば、所蔵している古い着物のリフォームに限らず、新しい着物をリフォームすることも容易である。
【図面の簡単な説明】
【００１１】
【図１】  本考案によるリフォーム着物の上衣部を示す正面図である。
【図２】  本考案によるリフォーム着物の上衣部の上前身頃を開いた状態を示す正面図である。
【図３】  本考案によるリフォーム着物の上衣部を示す背面図である。
【図４】  本考案によるリフォーム着物の下衣部の前身頃を開いた状態を示す正面図である。
【考案を実施するための形態】
【００１２】  以下、本考案の実施の形態について、図面を参照して説明する。
図１及び図２、図３、図４に示すように、本考案は、所蔵している古い着物を略腰丈付近で切断して上衣部１と下衣部２とに分離し、該上衣部１に於いて、衿首３が肩山４より後ろに７５ｍｍ〜８０ｍｍ繰越すよう衿６を縫い付けし直し、該上衣部１の下端にお端折り７を形成し、該上衣部１の下前身頃８の下部表面と上前身頃９の下部裏面とに面ファスナー１０を取り付けし、及び、該下衣部２に於いて、胴回り部分１１に面ファスナー１０を取り付けして、巻きスカート状に形成した構造を以て構成したことを特徴とした。
【符号の説明】
【００１３】  １    上衣部
２    下衣部
３    衿首
４    肩山
５    繰り越し
６    衿
７    お端折り
８    下前身頃
９    上前身頃
１０    面ファスナー
１１    胴回り部分
【図１】
0003178189.tif 000003
【図２】
0003178189.tif 000004
【図３】
0003178189.tif 000005
【図４】
0003178189.tif 000006
(57)【要約】      （修正有）【課題】初心者がパソコンのキーボードのキーを押す動作を、親指の無い手袋状の各々の指に文字を付与しキーを押す手順を明確にした手袋状用具により、スムースに習熟できるように成る速成練習用具を提供する。【解決手段】両手の各指に装着する手袋状の形状は、親指のない他の４指よりなり、左・右手１、２は手袋状の本体で、両手の手の甲が数センチ覆う程度になっており着脱を容易にした。両手の各々の手指（左）１ａ，１ｂ，１ｃ，１ｄ（右）２ａ，２ｂ，２ｃ，２ｄには文字（ローマ字等）を付与してある。３は両手の親指であり、４は手の甲である。【選択図】図１
0003178187.tif 000002
【実用新案登録請求の範囲】
【請求項１】
初心者がパソコンのキーボードのキーを押す動作をスムースに習熟するために、各指の押すキーを正確に速く習得できるよう手袋状の各指の手の甲側に文字を付与したキーボード速成練習用具。
【請求項２】
手袋状の形状は親指の無い他の４指よりなり着脱が容易で軽量な素材を有したことを特徴とする請求項１記載のキーボード速成練習用具。
【考案の詳細な説明】
【技術分野】
【０００１】  本考案は、初心者がパソコンのキーボードのキーの文字を押す動作を、習熟するためのキーボード速成練習用具に関する。
【背景技術】
【０００２】  キーボードのキーを押す動作は、キーボードのキーの文字を目視で確認しながら各々の指を使っている。
【考案の概要】
【考案が解決しようとする課題】
【０００３】  キーボードのキーに、スムースに各々の指を効果的に使えるようにする。
これらの課題を解決するのが本考案の目的である。【０００４】  このためには、各指のキーを押す文字を特定した練習用具が必要とされる。
【課題を解決するための手段】
【０００５】  本考案は、親指の無い手袋状の各々の指に文字を付与しキーを押す手順を明確にした。【０００６】  手袋状の形状は、親指の無い他の４指よりなり軽量な素材を有している。【０００７】  手指を挿入しやすくするために、手の甲が指の根元から数センチの所まで覆うだけの形状にする、このことにより着脱も容易になる。
【考案の効果】
【０００８】  上述の様に、本考案のキーボード速成練習用具は、親指以外の４指にそれぞれの押すキーの文字を付与しているので、スムースな指の動作を得ることができる。【０００９】  手袋状の形状は、親指の無い他の４指よりなり、手の甲側は、各々の指の根元より数センチの所までなので、着脱が容易である。
【図面の簡単な説明】
【００１０】
【図１】  本考案のキーボード速成練習用具の実施例を示す全体図である。
【考案を実施するための最良の形態】
【００１１】  以下、本考案の実施形態を図１に基づいて説明する。【００１２】  図１において、両手の各指に装着する手袋状の形状は、親指のない他の４指よりなり、左・右手１、２は手袋状の本体で、両手の手の甲が数センチ覆う程度になっており着脱を容易にした。両手の各々の手指（左）１ａ，１ｂ，１ｃ，１ｄ（右）２ａ，２ｂ，２ｃ，２ｄには文字（ローマ字等）を付与してある。３は両手の親指であり、４は手の甲である。
【符号の説明】
【００１３】１    左手側手袋状の本体
１ａ  人差し指
１ｂ  中指
１ｃ  薬指
１ｄ  小指
２    左手側手袋状の本体
２ａ  人差し指
２ｂ  中指
２ｃ  薬指
２ｄ  小指
３    親指
４    手の甲
【図１】
0003178187.tif 000003
(57)【要約】      （修正有）【課題】水田の水位を一定に保つように、開口部を有したパイプを使用し、開口部の口径を変えられる様にした水量調節水口を提供する。【解決手段】パイプ付エルボ１に、長方形開口部付固定パイプ２を取付け長方形開口部付スフリング水量調節パイプ３を長方形開口部付固定パイプ２の外側か内側に差込んで長方形開口部付スプリング水量調節パイプ３を、上下、左右に移動させ、開口部の口径を変化させる事により、流入水量、流出水量を調節し水位を一定に保つようにする。【選択図】図１
0003178190.tif 000002
【実用新案登録請求の範囲】
【請求項１】
パイプ付エルボ（１）に、長方形開口部付固定パイプ（２）を取付けし、長方形開口部付スプリング水量調節パイプ（３）を長方形開口部付固定パイプ（２）の外側か内側に差込んで、長方形開口部付スプリング水量調節パイプ（３）を上下、左右に移動させる事により開口部の口径を変化させ流入水量、流出水量を調節し田んぼの水位を一定に保つ様にした水口。
【考案の詳細な説明】
【技術分野】
【０００１】  本考案は、水田の水位を一定に保つのために取付する水田水口に関するものである。
【背景技術】
【０００２】  側溝に取付けた角落し板、土嚢袋により水田の水位を調節している。【０００３】  しかし、ほとんどの水田の場合、水位調節機能を持った水口はなく、毎日の巡回によりパイプラインが設置されている所では、パイプラインよりの給水量、水口の水の流入水量によって水位を調節しているのが現状である。【０００４】  ほとんどの水田の水口に、水位調節機能がないのが問題である【０００５】  この改善策として水田の水口に、水位調節機能を持たせたものである。
【考案の概要】
【考案が解決しようとする課題】  従来は、水田を毎日巡回し水位を調節しなければならないと言う問題を有していた。
【課題を解決するための手段】  上記問題を解決するため、パイプ付エルボ（１）に、長方形開口部付固定パイプ（２）を取付け長方形開口部付スフリング水量調節パイプ（３）を長方形開口部付固定パイプ（２）の外側か内側に差込んで長方形開口部付スプリング水量調節パイプ（３）を、上下、左右に移動させ、開口部の口径を変化させる事により、流入水量、流出水量を調節し水位を一定に保つようにしました。
【考案の効果】  本考案の、水田水位調節水口を使用する事によって通常時、雨天時の水位も一定に保つ事が出来るようになり、水田の巡回も大幅に少なくなり、他の作業に時間を振向ける事が出来るようになりましたました。
【図面の簡単な説明】
【図１】  水田水位調節水口の正面図である。
【図２】  水田水位調節水口の側面図である。
【図３】  水田水位調節水口の平面図である。
【考案を実施するための形態】
以下本考案の実施の形態を説明する。
パイプ付エルボ（１）に長方形開口部付固定パイプ（２）を取付け長方形開口部付スプリング水量調節パイプ（３）を長方形開口部付固定パイプ（２）の外側か内側に差込み長方形開口部付スプリング水量調節パイプ（３）を上下、左右に移動出来る様にし開口部の口径を変化させるにより、流入流出水量を調節出来るようにしました。
【符号の説明】１  パイプ付エルボ
２  長方形開口部付固定パイプ
３  長方形開口部付スプリング水量調節パイプ
【図１】
0003178190.tif 000003
【図２】
0003178190.tif 000004
【図３】
0003178190.tif 000005
(57)【要約】      （修正有）【課題】道具として筆記ができるとともに体をリラックスさせることができ、集中力を高め仕事時にいいアイデアを生み出したり、間違いの軽減が期待でき、常時、身辺に置き、いつでもマッサージをして体をリラックスさせる効果を持たせることが出来る美容ローラーマッサージ器を提供する。【解決手段】ボールペン等の筆記具をマッサージローラー器のハンドル部に取り付け、事務等の仕事時にはボールペンとして使用し、疲労を感じた時にはローラー部分でマッサージすることにより  いつでもマッサージして、血行をよくして体をリラックスすることができる様に該美容ローラーマッサージ器を構成する。【選択図】図２
0003178183.tif 000002
【実用新案登録請求の範囲】
【請求項１】
ハンドルにボールペン等の筆記具をとりつけた事を特徴とする美容ローラーマッサージ器
【考案の詳細な説明】
【技術分野】
【０００１】本考案は皮膚をマッサージするための美容ローラーマッサージ器に関するものである。
【背景技術】
【０００２】従来の美容ローラーマッサージ器はハンドルを持って皮膚をマッサージする効果しか無かった。
【考案の開示】
【考案が解決しようとする課題】
【０００３】従来の美容ローラーマッサージ器は皮膚をマッサージするだけであったが、道具として家に帰ってから使用するものであった。これを常時、身辺に置き、いつでもマッサージをして体をリラックスさせる効果を持たせたい。
【課題を解決するための手段】
【０００４】［図２］のように、従来の美容ローラーマッサージ器［図１］のハンドルにボールペンを取り付けたものを提供する。
【考案の効果】
【０００５】［図２］の本考案の美容マッサージローラーはハンドルにボールペン取り付けられていることにより、事務等の仕事時にはボールペンとして使用し、疲労を感じた時にはローラー部分でマッサージすることにより  いつでもマッサージして、血行をよくして体をリラックスすることができる。
【実施例】
【０００６】［図２］が本考案の実施例で、本来の美容マッサージローラー以外に筆記具としての機能を持つ。
【産業上の利用可能性】
【０００７】道具として筆記ができるとともに  体をリラックスさせることができ  集中力を高め仕事時にいいアイデアを生み出したり、間違いの軽減が期待できる。
【図面の簡単な説明】
【０００８】
【図１】従来の美容マッサージローラー
【図２】ハンドルにボールペンをとりつけた  本考案の美容マッサージローラー
【図１】
0003178183.tif 000003
【図２】
0003178183.tif 000004
(57)【要約】      （修正有）【課題】その家系図に映像と音を記録し、ＤＶＤなどで保存し慶弔の席などで、放映し楽しく聴視できる家系図本セットを提供する。【解決手段】対象者の氏名を記載する欄と、対象者の相続人の氏名を記載する欄と、相続人の子の名前を記載する欄とを結線するとともに、各欄の近傍に写真を掲載するスペースを設けた家系図部の右上に、「ＤＶＤ」の有無を示す欄を設けた家系図本と、前記本の内容が記録されているＤＶＤ等の記録媒体を組み合わせた家系図本セット。【選択図】図１
0003178148.tif 000002
【実用新案登録請求の範囲】
【請求項１】
写真書画像と音、音楽音声入りＰＣ書込み制作したＤＶＤデータをプリンター印刷製本し制作した家系図本と視聴覚ＤＶＤを組み合わせ制作した視聴覚式家系図譜。
【請求項２】
請求項１の写真書画像と音、音楽音声入りＰＣ制作ソフトデータをＣＤやＶＤＶ、ビデオテープ・レコード音盤などに収録し制作した視聴覚式家系図譜。
【考案の詳細な説明】
【技術分野】
【０００１】  本案は、家系図譜の活用に関する考案です。
「家系図譜」といえば、百年も五百年も家系をさかのぼり、代々のご先祖を揮毫した、立派な巻き軸装丁の家系図譜を連想されることでしょう。
考案の家系図譜は、その家系図に映像と音を記録し、ＤＶＤなどで保存し慶弔の席などで、放映し楽しく聴視しようというものです。
家系図本来の目的は、ご先祖との繋がりを伝承し、家族・親族間の絆を強め、幸せを願うことでしょう。
この考案の「視聴覚式家系図譜」は、現代社会の科学技術を活用した、家系図譜です。
＊文字・写真・書画像・音・音楽・音声・父母の仕事の音など、が聞ける姿を見ることが出来る家系図、どこにも無いでしょう。
我が国の家族文化を、楽しく継承できる、この上ない考案といえましょう。
【背景技術】
【０００２】  従来も、今日も、ＰＣによる制作の家系図譜・そして写真・書画像・音・音楽・音声が聴視出来る家系図譜などありません。
本案の、実像・実音を聴視できる家系図は、現代の科学技術があって可能になったものです。存在していません。
【考案が解決しようとする課題】
【０００３】  第一の課題は、家系図譜の本来の目的を損なうことの無い、書式をつくるか。第二は、写真書画像活かした編集と表記。
第三は、音、音楽音声の選定と編集。
第四はＣＤやＶＤＶなど保存方法と、視聴方法の指導と簡易化である。
放映の場所、視聴については、日本文化の尊厳を厳守したい。
【考案が解決するための手段】
【０００４】  第一の課題の、家系図譜としての書式は、文字や年号数字が明解で読みやすい、ＰＣを活かした。
第二の課題は、人生の節目の写真や書画を、選定しレイアウト出来た。
特に、子供の時の家族との団らんなどや、結婚式の家族の写真も良い。
家族・親族の絆が、自然に強まり和やかになった。
第三は、音、音声の選定と編集。故人となった人の声、感激のあまり涙を流す、親族の人達もいた。
冠婚葬祭時だけでなく、家族親族の会を年に、二回以上やろうとなった。
第四の課題は、ＣＤやＶＤＶの定期的に、複製を撮ることにした。
よって、親族訪問の旅や、親族生産物の交換利用など、楽しい交際の効果が期待できた。
【考案を実施するための形態】
【０００５】          考案の実施の形態を図面により説明します。
図１  「視聴覚式家系図譜」の書式とレイアウトの見取り図
▲１▼家系図書式。▲２▼写真・書画像掲載枠。▲３▼音・音楽・音声の有無の表示
図２  「視聴覚式家系図譜」の製本と保存・の見取り図
▲１▼家系図譜書・色紙台紙製本図。▲２▼視聴覚家系図ＣＤやＶＤＶの保存箱。
【考案の効果】
【０００６】  本考案は上述の通りであります。
【０００７】  本案は、「家系図譜」の書式と概念を、一新した。特に、家系図は遠い遠い昔の、手の届かないことと思っていたことが、グウーンーと近くなった。
家族史、親族史、家族の絆、親族の絆の大切さを自然に納得できる、現代社会生活の中の心の情報交換システムが考案出来た。
家系図譜情報は、家族親族の「災害発生時」の互助の基盤を形成した。
普段生活にあっては、家族や親族がもっている、生活技能・職業や特技を、お互いに活用しあえる互恵活動を活発にした。
また、親族訪問旅行などを、活発にし観光や日本の伝統文化の保存継承に少なからず効果が上げられた。
【図面の簡単な説明】
【０００９】
【図１】「視聴覚式家系図譜」書式とレイアウトの見取り図
【図２】「視聴覚式家系図譜」の製本と保存の見取り図
【符号の説明】    ▲１▼．▲２▼．▲３▼．▲４▼．▲５▼表記符号
【図１】
0003178148.tif 000003
【図２】
0003178148.tif 000004
【手続補正書】
【提出日】平成23年10月3日(2011.10.3)
【手続補正１】
【補正対象書類名】実用新案登録請求の範囲
【補正対象項目名】全文
【補正方法】変更
【補正の内容】
【実用新案登録請求の範囲】
【請求項１】
写真書画像表示家系図本と音音楽音声入りＤＶＤとからなるＰＣ製作の本とＤＶＤの視聴覚構造家系図譜。
【請求項２】
請求項１の永年保存を特徴とする音音楽音声の保存をＤＶＤやレコード音盤にした視聴覚構造家系図譜。
【手続補正書】
【提出日】平成24年1月17日(2012.1.17)
【手続補正１】
【補正対象書類名】実用新案登録請求の範囲
【補正対象項目名】全文
【補正方法】変更
【補正の内容】
【実用新案登録請求の範囲】
【請求項１】
写真書画像、氏名誕生日没日和暦西暦血液型職業親子親族等の続柄表示書式構造の家系図譜制作ＣＤと音楽音声入りＤＶＤを組み合わせた視聴覚構造家系図譜。
【請求項２】
請求項１の家系図譜の音楽音声は永年保存を目的とするので家系図譜音楽音声保存にレコード音盤を組み合わせて使用した視聴覚構造家系図譜。
【手続補正書】
【提出日】平成24年4月13日(2012.4.13)
【手続補正１】
【補正対象書類名】実用新案登録請求の範囲
【補正対象項目名】全文
【補正方法】変更
【補正の内容】
【実用新案登録請求の範囲】
【請求項１】
対象者の氏名を記載する蘭と、対象者の相続人の氏名を記載する蘭と、相続人の子の名前を記載する蘭とを結線するとともに、各欄の近傍に写真を掲載するスペースを設けた家系図部の右上に、「視聴覚記録再生ＤＶＤ」の有無を示す蘭を設けたことを特徴とする視聴覚構造家系図譜。
【請求項２】
請求項１の視聴覚記録再生用具は、ＤＶＤ、フイルム原板、レコード録音盤などを使用、横書き家系図とした視聴覚構造家系図譜。
【手続補正書】
【提出日】平成24年6月13日(2012.6.13)
【手続補正１】
【補正対象書類名】実用新案登録請求の範囲
【補正対象項目名】全文
【補正方法】変更
【補正の内容】
【実用新案登録請求の範囲】
【請求項１】
対象者の氏名を記載する欄と、対象者の相続人の氏名を記載する欄と、相続人の子の名前を記載する欄とを結線するとともに、各欄の近傍に写真を掲載するスペースを設けた家系図部の右上に、「ＤＶＤ」の有無を示す欄を設けたことを特徴とする家系図本。
【請求項２】
請求項１の家系図本と、前記本の内容が記録されているＤＶＤ等の記録媒体を組み合わせた家系図本セット。
(57)【要約】      （修正有）【課題】ネジや工具を必要としないネジ不要の金属の携帯電話カバー構造を提供する。【解決手段】金属カバー２からなり、金属カバー２には、複数の穿孔２１及び差込溝孔２２が設けられ、携帯電話１のファンクションボタン及び携帯電話の充電とデータ同期に使用される差込溝にそれぞれ対応する。金属カバー２における差込溝孔２２と対向する内側には、凸部２３が設けられ、携帯電話の辺縁を押さえつける。また、固定キャップ３の軟質の前縁は、携帯電話の差込溝１２と密接に係合され、それにより、固定キャップ３を携帯電話の差込溝１２にしっかり固定することができる。このように、固定キャップ３上端と下端の凸縁３１を、金属カバー２の差込溝孔２２の内縁にきつく係合することにより、金属カバー２を携帯電話１にネジなしで固定することができる。【選択図】図２
0003178127.tif 000002
【実用新案登録請求の範囲】
【請求項１】
携帯電話の外側を被覆するための金属カバーからなるネジ不要の金属の携帯電話カバー構造であって、
金属カバーは、複数の穿孔を備え、
金属カバーには、差込溝孔が設けられ、前記差込溝孔は、携帯電話の差込溝に対応し、携帯電話の差込溝及び金属カバーの差込溝孔には、固定キャップが嵌め込まれ、それにより金属カバーと携帯電話が固定されることを特徴とする、ネジ不要の金属の携帯電話カバー構造。
【請求項２】
金属カバーにおける差込溝孔と反対側の内側には、少なくとも一つの凸部が設けられることを特徴とする、請求項１に記載のネジ不要の金属の携帯電話カバー構造。
【請求項３】
固定キャップの上端及び下端には、いずれも凸縁が設けられ、固定キャップを携帯電話の差込溝及び金属カバーの差込溝孔に嵌めこんだ時、固定キャップの上端及び下端の凸縁は、差込溝孔の内縁にぴったりと当接することを特徴とする、請求項１に記載のネジ不要の金属の携帯電話カバー構造。
【考案の詳細な説明】
【技術分野】
【０００１】
本考案はネジ不要の金属の携帯電話カバー構造に関し、特に金属カバーで携帯電話を覆い、金属カバー内側の凸部で携帯電話の辺縁を抑えつけ、固定キャップを携帯電話の差込溝及び金属カバーの差込溝孔に嵌め込むことにより、金属カバーと携帯電話をネジなしで固定できる、ネジ不要の金属の携帯電話カバー構造に関する。
【背景技術】
【０００２】
第３世代移動通信システムが発展するに従って、インターネット、映像音声通信、エンターテイメント等の機能が統合されたスマートフォンが、次第に市場に普及し始めている。それにより、使用者は、考えていることをそのまま操作するだけで、簡単に各種の目的を達することができる。また、この種の製品の使用耐久性を向上させるために、一部のユーザーは、携帯電話の外側に保護カバーを取り付けている。保護カバーの材質は、軟質のプラスチック材料と硬質の金属材料に大きく分類することができる。両者の違いは、外観の質感と硬さだけでなく、その固定方法も違いがある。軟質材料の固定方式は、多くが、プラスチック材質の弾性を利用し、携帯電話をぴったりと覆わせる。この種の方式は、圧力や摩擦によって外れてしまいやすい。また、硬質の金属材料は、ネジでカバーを固定するが、金属カバーを取り付ける過程で、工具が必要であり、手順も複雑であり、さらに、取り付け取り外しが不便であるため、改良する必要がある。
【考案の概要】
【考案が解決しようとする課題】
【０００３】
そこで、本考案は、ネジや工具を必要としないネジ不要の金属の携帯電話カバー構造を提供することを目的とする。
【課題を解決するための手段】
【０００４】
本考案によるネジ不要の金属の携帯電話カバー構造の主な機能は、携帯電話を保護することである。本考案は、金属カバーからなり、金属カバーには、複数の穿孔及び差込溝孔が設けられ、携帯電話のファンクションボタン及び携帯電話の充電とデータ同期に使用される差込溝にそれぞれ対応する。金属カバーにおける差込溝孔と対向する内側には、凸部が設けられ、携帯電話の辺縁を押さえつける。また、固定キャップの軟質の前縁は、携帯電話の差込溝と密接に係合され、それにより、固定キャップを携帯電話の差込溝にしっかり固定することができる。このように、固定キャップ上端と下端の凸縁を、金属カバーの差込溝孔内縁にきつく係合することにより、金属カバーを携帯電話にネジなしで固定することができる。
【０００５】
従来の技術の硬質金属ケースと異なるのは、本考案の金属カバーを取り付ける際に、ネジや工具が不要であることである。即ち、金属カバー内側に設けられた凸部で携帯電話の辺縁を押さえつけ、凸部と携帯電話を係合させた後、固定キャップを携帯電話の差込溝に嵌め込むことにより、固定キャップの上、下両端の凸縁が差込溝孔内縁とぴったり係合し、金属カバーを携帯電話外側にぴったり結合させることができる。従って、本考案ネジや工具を使用しなくても、金属カバーで携帯電話を保護することができる。
【図面の簡単な説明】
【０００６】
【図１】本考案の構造の斜視図である。
【図２】本考案の構造の構成部材を示した斜視図である。
【図３】本考案の構造の概略図である。
【図４】本考案の構造の概略図である。
【図５】本考案の構造の概略図である。
【図６】本考案の構造の概略図である。
【考案を実施するための形態】
【０００７】
図１から図５を参照する。本考案による携帯電話カバー構造は、主に、金属カバー２と、固定キャップ３とからなる。
【０００８】
図１から図２に示すように、金属カバー２における差込溝孔と対向する内側に、凸部２３が設けられ、側面周縁には、携帯電話のファンクションボタンに対応する複数の穿孔２１が設けられ、差込溝孔２２は、携帯電話１の充電とデータ同期に使用される差込溝１２に対応する位置に配置される。固定キャップ３は、携帯電話１の差込溝１２に嵌め込まれる。固定キャップ３上端と下端の凸縁３１を、金属カバー２の差込溝孔２２内縁にきつく係合することで、金属カバー２を携帯電話１に固定することができる。
【０００９】
図３から図５に示すように、金属カバー２における差込溝孔と対向する内側には凸部２３が設けられる。金属カバー２を取り付ける時は、まず、携帯電話１と金属カバー２を反転させ、金属カバー２内側の凸部２３を、金属カバー２内側の上方に配置し、その後、携帯電話１を角度をつけてスライドさせると、携帯電話１の上端が凸部２３の位置まで移動して凸部２３と係合される。さらに、プラスチック材質の固定キャップ３を携帯電話１の差込溝１２に嵌め込む。この時、固定キャップ３上端と下端の凸縁３１が金属カバー２の差込溝孔２２内縁にきつく係合されるため、金属カバー２を携帯電話１に安定して取り付けることができ、ネジや工具が必要ない。
【符号の説明】
【００１０】
１        携帯電話
１２      差込溝
２        金属カバー
２１      穿孔      
２２      差込溝孔
２３      凸部
３        固定キャップ
３１      凸縁
【図１】
0003178127.tif 000003
【図２】
0003178127.tif 000004
【図３】
0003178127.tif 000005
【図４】
0003178127.tif 000006
【図５】
0003178127.tif 000007
【図６】
0003178127.tif 000008
(57)【要約】【課題】ケースなどに収納する必要がなく、水で濡れた手をふいた後にハンドバッグやズボンのポケットにしまっても、周囲のものが濡れてしまうことを気にすることなく使用することが可能な実用性、携帯性の高いハンカチーフを提供する。【解決手段】ハンカチーフ１は、長方形上であり、長手方向の一端側に他端側に開口したポケット４を設け、該ポケットにハンカチーフを三つ折りにして収納できるとともに、前記ポケットの内側の生地が撥水性のある生地で形成されている。【選択図】図１
0003178126.tif 000002
【実用新案登録請求の範囲】
【請求項１】
長方形状のハンカチーフにおいて、
長手方向の一端側に他端側に開口したポケットを設け、
該ポケットはハンカチーフを三つ折りにして収納可能な大きさを有し、
前記ポケットの内側の生地が撥水性のある生地であることを特徴とするハンカチーフ。
【考案の詳細な説明】
【技術分野】
【０００１】
本考案は、濡れた手をふいた後にズボンのポケットやハンドバッグにしまったとしても、周囲のものを濡らさないためのポケットを有するハンカチーフに関する。
【背景技術】
【０００２】
従来のハンカチーフは、濡れた手をふいた後には、まだ布部分に水分を含んでいるため、使用後すぐにハンドバッグにしまうとバッグ内部や周囲の財布などの小物を濡らしてしまうことがあった。また、ズボンなどの衣服のポケットにしまった場合も同様に衣服が濡れてしまうこととなる。
【０００３】
そこで、濡れた状態のハンカチーフを収納するための携帯用ハンカチーフケースが提案されている（特許文献１、２参照。）。
【先行技術文献】
【特許文献】
【０００４】
【特許文献１】特開２０１０−１３１１９５号公報
【特許文献２】特開平１０−２１２６０５号公報
【考案の概要】
【考案が解決しようとする課題】
【０００５】
しかしながら、上述の特許文献１、２に記載のような携帯用ハンカチーフケースでは、使用前後にハンカチーフをケースから取り出したり、収納したりする作業が面倒な上に、ハンカチーフと別にケースを携帯しなければならないといった問題があり、決して携帯性の高いといえるものではなかった。
【０００６】
また、せっかくデザイン性の高いハンカチーフを使用していても、普段はケースの中に収納してしまうため、外見からは認識できないものとなってしまう。
【０００７】
そこで、本考案は、ケースなどに収納する必要がなく、水で濡れた手をふいた後にハンドバッグやズボンのポケットにしまっても、周囲のものが濡れてしまうことを気にすることなく使用することが可能な実用性、携帯性の高いハンカチーフを提供することを目的としている。
【課題を解決するための手段】
【０００８】
上記の目的を達成するため本考案のハンカチーフは、長方形状のハンカチーフにおいて、長手方向の一端側に他端側に開口したポケットを設け、該ポケットはハンカチーフを三つ折りにして収納可能な大きさを有し、前記ポケットの内側の生地が撥水性のある生地であることを特徴としている。
【考案の効果】
【０００９】
本考案のハンカチーフによれば、撥水性のある生地でできたポケット内にハンカチーフを三つ折りにして収納できるために、水で濡れた手をふいた後にケースなどに収納することなく、通常のハンカチーフを折り畳んだのと同じ状態でそのままハンドバッグやズボンのポケットにしまうことが可能となるため、携帯性もよく、実用的である。また、通常のハンカチーフを折り畳んだのと同じ状態のまま携帯できるため、ハンカチーフ自体のデザイン性を損なわない。
【図面の簡単な説明】
【００１０】
【図１】本考案のハンカチーフの一形態例を示す図であり、ハンカチーフを展開して、手をふいたりするときの状態を示す図である。
【図２】同じく、ハンカチーフを折り畳む（又は展開する）途中の状態を示す図である。
【図３】同じく、ハンカチーフを三つ折りにして、ポケット部に収納した状態を示す図である。
【考案を実施するための形態】
【００１１】
以下、本考案の一形態例を図１乃至図３に基づいて説明する。本形態例のハンカチーフ１は、長方形状に形成されており、長手方向の一端側に他端側に開口したポケット４を設けている。ポケット４は、ハンカチーフ１を三つ折りにして収納可能な大きさを有している。
【００１２】
ハンカチーフ１は、ポケット開口側の生地２と外側の生地３とを重ね合わせて形成しており、生地２、３は綿製である。なお、ポケット開口側の生地２と外側の生地３との柄は、それぞれ異なるものであってもよく、素材はハンカチーフとして濡れた手をふくのに適した素材であれば、麻などの他の素材でもよい。
【００１３】
濡れた手をふく場合には、図１のようにハンカチーフ1を開き、ポケット４が形成されている部分以外の箇所で手をふくことができる。その後、図２に示すように、ポケット開口側の生地２を内側にするように、三つ折りにし、図３に示すように、ポケット４内に収納することができる。
【００１４】
ここで、ポケット４の内側の生地は、例えばポリエステルで撥水加工が施しているので、ハンカチーフが濡れた状態でポケット内に収納したとしても、水分がハンカチーフの表側に染み出ることはない。
【００１５】
したがって、図３に示すような状態で、ハンドバッグなどにしまっても、周囲のものを濡らす心配がない。
【００１６】
このように別の携帯ケースなどを用意する必要がなく、携帯性もよく、実用的である。また、通常のハンカチーフを折り畳んだのと同じ状態のまま携帯できるため、ハンカチーフの柄を外部からそのまま視認できるため、デザイン性を損なわない。
【００１７】
なお、ハンカチーフ１の形状は長方形に限らず、また三つ折り以外の形でもハンカチーフをポケット内に収納できるのであれば、他の形状や畳み方であってもよい。
【符号の説明】
【００１８】
１…ハンカチーフ、２…ポケット開口側の生地、３…外側の生地、４…ポケット
【図１】
0003178126.tif 000003
【図２】
0003178126.tif 000004
【図３】
0003178126.tif 000005
(57)【要約】      （修正有）【課題】畳床下の空間を利用し、掘ごたつのテーブルを油圧制御により上昇下降する事で、テーブルを出したり収納したりできる油圧制御式昇降型掘ごたつを提供する。【解決手段】掘ごたつのテーブル脚となる支柱を、油圧により加圧減圧するシリンダ状の支柱ジャッキ４ａ〜４ｄを備え、また別のジャッキのシリンダ内の弁の中心に雌ネジの穴が開いてあり、雄ネジのある棒を回転させ弁を前後移動することにより、支柱ジャッキに加圧減圧の制御が出来る制御ジャッキ４ｅの１本を備える。支柱ジャッキ４本と制御ジャッキが全てパイプによりつながっており、制御ジャッキの棒を回転させ弁を前進させると、油がパスカルの原理により、均等に４本の支柱ジャッキを上昇させテーブルとして利用出来る高さまであげ、逆に制御ジャッキの棒を回転させ弁を後退させると、支柱ジャッキ内の油が減圧され４本の支柱ジャッキが畳を敷ける高さまで降下する。【選択図】図１
0003178153.tif 000002
【実用新案登録請求の範囲】
【請求項１】
和室内の一畳を利用し、そこに掘ごたつを設ける。掘ごたつのテーブルは、油圧ジャッキ等にて上昇下降操作が可能とする。テーブル若しくは掘ごたつとして使用する時は、上昇させ畳を寄せて天板を上にして使用する。掘ごたつのヒーターは、市販の掘ごたつ用ヒーターでも可とする。テーブル若しくは掘ごたつとして使用しない時は、下降させさらに畳を載せる事により、通常の和室として利用が可能とする。なお、畳一畳分以内のサイズであれば、縦横のテーブルの長さを調整作成が可能とする。なお、和室に特化して記述しているが、フローリングやカーペットの床でも設置可能であれば、同様とする。
【考案の詳細な説明】
【技術分野】
【０００１】  本考案は、油圧制御等により操作出来、設置収納が楽に出来る掘ごたつである。
【背景技術】
【０００２】  和室の畳下等の空間を利用する事に着目し、その空間に掘ごたつを収納する事が出来れば、掘ごたつの収納場所に困る事がなくなる。掘ごたつを必要に応じて、油圧制御のスイッチにて昇降させるだけで設置収納が出来る。体力の弱い人でも容易に設置収納が一人で出来る様になる。
【考案の概要】
【考案が解決しようとする課題】
【０００３】  掘ごたつを床下に収納出来る様に、スペースを確保して、油圧ジャッキを制御して、使用時には上昇させ畳を取り除くと、天板が現われテーブル又は掘ごたつとして利用出来る。また、使用しない時は、天板の上に畳を置き下降させる事により、畳床下にテーブルを収納する。
【課題を解決するための手段】
【０００４】  掘ごたつのテーブルとして使用する部分を、油圧制御にて上昇下降を可能とさせるために、油圧ジャッキ等を利用し、スイッチ操作にてテーブルの昇降を実現化させる。
【考案の効果】
【０００５】  本考案を利用する事により、体力のない人が一人で設置収納が容易になる。
また、掘ごたつのテーブルは、畳床下に収納する事になる為、不使用時に、じゃまになる事がなくなる。いつでもすぐに設置収納が出来る様になる。
【図面の簡単な説明】
【０００６】
【図１】  本考案の油圧制御式昇降型掘ごたつの一実施例を示す正面図である。
【考案を実施するための形態】
【０００７】  和室の畳一畳分以内のスペースを掘ごたつとして使用する為に、油圧制御により、掘ごたつテーブル部分の上昇下降を行う。なお油圧の制御は、スイッチを押すだけの簡単なものにする。
【実施例】
【０００８】  昇降スイッチ５の上昇スイッチを押すと、畳をのせたまま掘ごたつテーブル部分が上昇する。テーブルとして使う高さまで、天板２が上昇したら、昇降スイッチから手を放す。テーブルの高さは自由に変える事が出来る。畳１を取り除いてこたつテーブル２を一番上にして使用する。掘ごたつとして利用する時は、こたつ天板２とこたつテーブル３の間に、こたつ布団をはさむ様にする。そして、市販の掘ごたつヒーター７を掘ごたつ中に入れて使用する。収納時は、こたつ布団を取り除き、こたつ天板２と畳１を載せて、昇降スイッチ５の下降ボタンスイッチを押す。畳１が、まわりの畳と同じ高さになったらスイッチから手を放す。
【符号の説明】
【０００９】  １  畳
２  こたつ天板
３  こたつテーブル
４  油圧ジャッキ
５  昇降スイッチ
６  ＡＣ／ＤＣコンバータ
７  市販の掘ごたつヒーター
【図１】
0003178153.tif 000003
【手続補正書】
【提出日】平成24年6月11日(2012.6.11)
【手続補正１】
【補正対象書類名】実用新案登録請求の範囲
【補正対象項目名】全文
【補正方法】変更
【補正の内容】
【実用新案登録請求の範囲】
【請求項１】
本考案において、
（１）形状として、掘ごたつのテーブル脚となる支柱を、油圧により加圧減圧するシリンダ状の油圧ジャッキ（以下支柱ジャッキと称する）が４本あり、また別のジャッキのシリンダ内の弁の中心に雌ネジの穴が開いてあり、雄ネジのある棒を回転させ弁を前後移動することにより、支柱ジャッキに加圧減圧の制御が出来る油圧ジャッキ（以下制御ジャッキと称する）が１本あり、
（２）組み合せ構造は、支柱ジャッキ４本と制御ジャッキが全てパイプによりつながっており、制御ジャッキの棒を回転させ弁を前進させると、油がパスカルの原理により、均等に４本の支柱ジャッキを上昇させテーブルとして利用出来る高さまであげ、逆に制御ジャッキの棒を回転させ弁を後退させると、支柱ジャッキ内の油が減圧され４本の支柱ジャッキが畳を敷ける高さまで降下し、
（３）考案の対象として、畳床下の空間を利用し、掘ごたつのテーブルを油圧制御により上昇下降する事で、テーブルを出したり収納できる様に支柱ジャッキと制御ジャッキにより実現可能としており、
本考案は、和室畳下の空間を利用する事を前提としているが、洋間のフローリングの板の間も同様に適用可能とし、和室の場合においては一畳以内のサイズであれば、市販の家具調こたつの利用も適用可能とし、
以上からなる油圧制御式昇降型掘ごたつ。
(57)【要約】      （修正有）【課題】濃霧でも安全に運転が出来る眼鏡を提供する。【解決手段】眼鏡本体のレンズに赤外線フィルターを付ける。【選択図】図１
0003178155.tif 000002
【実用新案登録請求の範囲】
【請求項１】
眼鏡本体に赤外線フィルターを付ける赤外線機能付き眼鏡
【考案の詳細な説明】
【技術分野】
【０００１】  本考案は、赤外線機能を付けた眼鏡に関するものである。
【背景技術】
【０００２】  運転中に霧が発生した場合、現状速度を落としての運転をするほか解決策がなく、専門家もなるべく霧が発生しているときは運転しないよう呼びかけるに留めている。
【先行技術文献】
【特許文献】
【０００３】
【非特許文献】
【０００４】
【考案の概要】
【考案が解決しようとする課題】
【０００５】  霧の中での運転は視界が狭められ極めて危険である。濃霧であるとなおさらであり、霧が原因での交通事故は各国多発している。従って、霧の中でもセンターラインや対向車といった必要最低限の情報を得ることが出来るようにする眼鏡を開発することで、安全な運転が可能となり前述の点を解決できる。
【課題を解決するための手段】
【０００６】  本考案は、眼鏡本体のレンズに赤外線フィルターを張る。
【考案の効果】
【０００７】  上述のように、眼鏡のレンズ部分に赤外線フィルターを張ることによって、そのほかにかかるコストを抑えることが出来る。急な濃霧に対応することが出来、交通事故の減少につながる。
【図面の簡単な説明】
【０００８】
【図１】本考案の眼鏡の一実施例を示す正面図である。
【図１】
0003178155.tif 000003
【手続補正書】
【提出日】平成24年5月23日(2012.5.23)
【手続補正１】
【補正対象書類名】実用新案登録請求の範囲
【補正対象項目名】全文
【補正方法】変更
【補正の内容】
【実用新案登録請求の範囲】
【請求項１】
眼鏡本体のレンズに赤外線フィルターが付けられたことを特徴とする眼鏡。
(57)【要約】      （修正有）【課題】磁石を利用してエンブレムを衣服に取り付け、さらに落下紛失の怖れがないエンブレムの磁石式取り付け用具を提供する。【解決手段】胸ポケットに入れるための、鉄板２に接着した磁石１と、鎖６を連結する紐を通す穴を開けた鉄板３を取り付けたエンブレム５と、落下防止のための、胸ポケットに挟む吊り下げ金具７を備えた前記鎖６からなる。【選択図】図４
0003178158.tif 000002
【実用新案登録請求の範囲】
【請求項１】
胸飾りエンブレムを衣服に装着する為の磁石式取り付け用具。
次のものから成ります
１．  鉄板に磁石を接着したもの（以下磁石板と呼びます）
２．  胸飾りエンブレムの裏側に鉄板を取り付け、鉄板の一部に穴を開けて鎖と連結する      為の紐をつけたもの。
３．  エンブレムの落下紛失防止用の鎖
以上の構成からなることを特徴とする磁石式取り付け用具です。
【請求項２】
請求項記載の鉄板の取り付けを接着剤で行ったもの。
【請求項３】
請求項記載の鉄板の取り付けを、鉄板の四隅に小穴を開け糸で縫い付ける事によって行ったもの。
【請求項４】
請求項記載の落下紛失防止の為に紐を利用したもの。
【考案の詳細な説明】
【技術分野】
【０００１】考案は胸飾りエンブレム（以下エンブレムと呼びます）を衣服に装着する方法に関するものです
【技術背景】
【０００２】エンブレムの衣服への装着には糸で縫い付けるとか、ピンを利用するとかの方法が主流ですが、着脱が面倒とか服地を傷つけるとかの不満が有ります。
着脱に就いては、磁石の利用が最も簡単ですが、下記の様な懸念も有ります。
１．  磁気の外部に対する悪影響、例えば心臓ペ−スメ−カ−等の装着者や磁気カ−ド        等にたいするもの
２．  エンブレムの落下紛失
【考案の概要】
【考案が解決しようとする課題】
【０００３】磁石式取り付けにはエンブレムの内部に磁石を埋め込むのが普通ですが、その場合磁気の外部へ拡散が心配です。
又、磁力で吸着するだけなので、落下紛失の恐れも無くは有りません。
【問題を解決する為の手段】
【０００４】考案はエンンブレの裏に鉄板を取り付け、磁石板を胸ポケットに容れて之を吸着させる方式にしたものです。これに依って、装着時磁石は２枚の鉄板に挟み込まれた形になって、磁気の外部への拡散は鉄板に遮られて前後方向共に大幅に軽減されます。
【０００５】落下紛失防止のために、衣服の胸ポケットから鎖を吊るして磁石板に付けた紐に連結します。
【考案の効果】
【０００６】下記の効果がえられます。
１．ピンを使用しないので服地を傷める事は無くなります。
２．着脱が簡単になります。
３．装着者自身と外部に対する磁気の影響を大幅に軽減します。
４．エンブレムの落下紛失の怖れを無くします。
【図面の簡単な説明】
【０００７】
【図１】磁石板の正面図と側面図
【図２】エンブレムの裏側に鉄板を取り付け、その下部に開けた穴に鎖に連結する為の紐を通したものの正面図と側面図
【図３】落下紛失防止用の鎖の略図
【図４】全構成部品の関連図
【考案を実施するための形態】
【０００８】磁石板の磁石面を外にして胸ポケットに入れ、外側から裏に鉄板を取り付けたエンブレムを近かずけるだけで装着できます。
又、胸ポケットから鎖を吊るし下部を磁石板の紐に繋いでエンブレムの落下紛失を防ぎます。
【実施例】
【０００９】以下、添付図面に従って実施例を説明します。
１の磁石を２の鉄板に接着したものを衣服８の胸ポケット９の中に容れます。５はエンブレムで、その裏側の５ａに３の鉄板を取り付けて、更に鉄板に開けた紐通し穴４ａに紐４を通します。之を胸ポケットの外側から近かずけるだけで衣服に装着できます。６はエンブレムの落下紛失防止用の鎖で、吊り金具７を胸ポケット９の上部に懸け下部を鉄板に付けた紐に繋ぎます。
第４図は上述の構成部品を組み合わせた場合の略図です。
【符号の説明】
【００１０】１      磁石
２      鉄板
３      鉄板
４      鎖に連結用の紐
４ａ    紐通し穴
５      エンブレム
５ａ    エンブレムの裏側
６      鎖
７      鎖の吊り下げ金具
８      衣服の胸部分
９      胸ポケット
【図１】
0003178158.tif 000003
【図２】
0003178158.tif 000004
【図３】
0003178158.tif 000005
【図４】
0003178158.tif 000006
【手続補正書】
【提出日】平成24年6月6日(2012.6.6)
【手続補正１】
【補正対象書類名】実用新案登録請求の範囲
【補正対象項目名】全文
【補正方法】変更
【補正の内容】
【実用新案登録請求の範囲】
【請求項１】
胸飾りエンブレムの磁石式取り付け用具であり、胸ポケットに入れるための、鉄板（２）に接着した磁石と、鎖を連結する紐を通す穴を開けた鉄板（３）を取り付けたエンブレムと、落下防止のための、胸ポケットに挟む吊り下げ金具を備えた前記鎖からなる、磁石式取り付け用具。
【請求項２】
前記鉄板（３）を接着剤でエンブレムに取り付けたことを特徴とする請求項１に記載の磁石式取り付け用具。
【請求項３】
複数個所の穴を開けた前記鉄板（３）を、前記穴部分においてエンブレムに縫い付けたことを特徴とする請求項１に記載の磁石式取り付け用具。
【請求項４】
前記鎖に替えて、紐を用いることを特徴とする請求項１に記載の磁石式取り付け用具。